(57)【特許請求の範囲】
【請求項１】
四角柱状で成り該四角柱の高さ方向に垂直な２つの端面と該高さ方向に平行な４つの側面Ａ，Ｂ，ＣおよびＤを有する圧電磁器と、１組の入力用デバイスと、少なくとも１組の出力用デバイスから成る自励発振型信号変換装置であって、前記１組の入力用デバイスは電極Ｐ１およびＰ２と、第１の回路から成り、前記１組の出力用デバイスは電極Ｑ１およびＱ２と、負荷抵抗Ｒと、スイッチと、第２の回路から成り、前記圧電磁器の分極軸は前記四角柱の前記高さ方向と平行であって、前記電極Ｐ１およびＰ２は前記圧電磁器の前記側面Ａに設けられ、前記電極Ｑ１およびＱ２は前記圧電磁器の前記側面Ｂ，ＣおよびＤのうちの１つに設けられ、前記側面ＡおよびＢは互いに平行で、前記側面ＣおよびＤは互いに平行で、前記電極Ｐ１およびＰ２は、互いに電気的に絶縁されており、前記電極Ｑ１およびＱ２は、互いに電気的に絶縁されており、前記電極Ｑ１およびＱ２にはそれぞれ端子Ｔ０およびＴＮが設けられており、前記負荷抵抗Ｒは、前記端子Ｔ０とＴＮの間に接続されていて、Ｎ個の部分Ｒｉ（ｉ＝１，２，……Ｎ）から成り、前記部分ＲｉとＲ（ｉ＋１）の間には端子Ｔｉ｛ｉ＝１，２，……（Ｎ−１）｝が設けられており、前記圧電磁器、前記電極Ｐ１，Ｐ２，Ｑ１およびＱ２は複合体を形成し、前記第１の回路は、前記電極Ｐ１とＰ２の間に接続されることにより、前記複合体に前記圧電磁器の共振周波数とほぼ等しい周波数の電圧ＶＩＮを印加して、前記複合体に弾性振動を励振し、前記圧電磁器の共振周波数は前記複合体の共振周波数とほぼ等しく、前記電極Ｑ１およびＱ２は、前記弾性振動を電圧ＶＯＵＴの電気信号に変換し、前記電圧ＶＯＵＴは、前記部分Ｒｉに対応する電圧Ｖｉ（ｉ＝１，２，……Ｎ）の合計と等しく、前記端子Ｔ０，ＴｉおよびＴＮのうちのどれか２つは１組の出力用端子を形成し、前記端子Ｔ０，ＴｉおよびＴＮにおける少なくとも１組の前記出力用端子が前記スイッチを介して前記第２の回路と電気的に接続されたときに、前記出力用端子に含まれる２つの端子の間の電圧に対応する電気信号が前記第２の回路に出力され、前記第２の回路は、前記第２の回路に出力される前記電気信号を整流して直流電力を生成する自励発振型信号変換装置。
【請求項２】
前記電極Ｑ１およびＱ２によって電圧ＶＯＵＴの電気信号に変換される前記弾性振動は、前記側面Ｂ，ＣおよびＤのうち前記電極Ｑ１およびＱ２が設けられた側面に垂直な方向に振動する弾性振動で成る請求項１に記載の自励発振型信号変換装置。
【請求項３】
前記圧電磁器は、前記圧電磁器の前記両端面の形状が正四角形で成る請求項１または２に記載の自励発振型信号変換装置。
【請求項４】
前記側面Ａ上における前記電極Ｐ１およびＰ２は、前記分極軸に平行な直線によってほぼ２等分されており、前記側面Ｂ，ＣおよびＤのうち前記電極Ｑ１およびＱ２が設けられた側面における前記電極Ｑ１およびＱ２は、前記分極軸に平行な直線によってほぼ２等分されている請求項１，２または３に記載の自励発振型信号変換装置。
【請求項５】
前記側面Ａ上における前記電極Ｐ１およびＰ２は、前記分極軸に垂直な直線によってほぼ２等分されており、前記側面Ｂ，ＣおよびＤのうち前記電極Ｑ１およびＱ２が設けられた側面における前記電極Ｑ１およびＱ２は、前記分極軸に垂直な直線によってほぼ２等分されている請求項１，２または３に記載の自励発振型信号変換装置。
【発明の詳細な説明】
【０００１】
【発明の属する技術分野】
本発明は、入力電気信号を所定の電圧の電気信号に変換した後、制御、整流して出力する自励発振型信号変換装置に関する。
【０００２】
【従来の技術】
スイッチング電源は通信機器や情報機器などの電子機器の電源として広く用いられているが、従来のスイッチング電源は入力した直流電源を半導体の高速スイッチング作用を利用することにより高周波電力に変換し、さらに制御、整流して所定の直流を得るものであった。スイッチング電源を小型化するには高周波化技術の促進、各種の部品のダウンサイジング等の必要があるものの、高周波化はスイッチング用半導体の損失と電磁トランスの損失の増加をもたらすことから、スイッチング電源の小型化は困難であった。スイッチング周波数が１ＭＨｚを越えると、スイッチング用半導体の損失と電磁トランスの損失が著しく増加するので、これ以上の小型化は困難な状況にある。スイッチング用半導体の損失を最少限に抑えるためにはスイッチング回路に発生するスイッチ動作の遅れを共振などの方法により改善する必要がある。電磁トランスの損失を最少限に抑えるためには材料を改善する必要があるが、大幅な改善は困難な状況にあった。
【０００３】
圧電トランスをスイッチング電源の電源回路に応用するために様々な試みが行なわれてきた。従来の圧電トランスとしては圧電磁器による分極変化型圧電トランス、積層圧電磁器による縦振動型圧電トランスなどが主に挙げられる。これら従来の圧電トランスは、材料の弾性的な損失や電気的および弾性的なヒステリシスなどのために大振幅動作が困難であるという問題、電源回路に応用する際、負荷抵抗の小さな場合の電圧比を制御することが難しく、また大電力により破損しやすいという問題、基板の支持方法が難しく、電力増加とともに支持を強固にする必要もあって、素子の損失を増加させる原因になっているという問題等を有する。
【０００４】
【発明が解決しようとする課題】
スイッチング電源を小型化するには高周波化技術の促進、各種の部品のダウンサイジング等の必要がある。圧電トランスをスイッチング電源の電源回路に応用するために様々な型の圧電トランスが提案されている。しかし従来の圧電トランスでは、素子の支持方法が難しい、圧電トランスの内部損失抵抗が大きい等の問題点を有する。
【０００５】
本発明の目的は、入力電気信号をその電圧とは異なる電圧の電気信号に高効率で変換して出力することができ、しかも互いに異なる電圧を有する電気信号を同時に出力することも可能で、入力用の電極に接続された回路と出力用の電極に接続された回路とを絶縁状態に保つことができ、高周波駆動が可能で、小型軽量で、スイッチング用半導体の損失を抑えることができ、しかも回路構成が簡単な自励発振型信号変換装置を提供することにある。
【０００６】
【課題を解決するための手段】
請求項１に記載の自励発振型信号変換装置は、四角柱状の圧電磁器と、１組の入力用デバイスと、少なくとも１組の出力用デバイスから成る自励発振型信号変換装置であって、
前記１組の入力用デバイスは電極Ｐ1およびＰ2と、第１の回路から成り、
前記１組の出力用デバイスは電極Ｑ1およびＱ2と、負荷抵抗Ｒと、スイッチと、第２の回路から成り、
前記圧電磁器の分極軸は前記圧電磁器の両端面に垂直で、
前記電極Ｐ1およびＰ2は前記圧電磁器の側面Ａに設けられ、
前記電極Ｑ1およびＱ2は前記圧電磁器の側面Ｂ，ＣおよびＤのうちの１つに設けられ、
前記側面ＡおよびＢは互いに平行で、
前記側面ＣおよびＤは互いに平行で、
前記電極Ｐ1およびＰ2は、互いに電気的に絶縁されており、
前記電極Ｑ1およびＱ2は、互いに電気的に絶縁されており、
前記電極Ｑ1およびＱ2にはそれぞれ端子Ｔ0およびＴNが設けられており、
前記負荷抵抗Ｒは、前記端子Ｔ0とＴNの間に接続されていて、Ｎ個の部分Ｒi（ｉ＝１，２，……Ｎ）から成り、前記部分ＲiとＲ(i+1)の間には端子Ｔi｛ｉ＝１，２，……（Ｎ−１）｝が設けられており、
前記圧電磁器、前記電極Ｐ1，Ｐ2，Ｑ1およびＱ2は複合体を形成し、
前記第１の回路は、前記電極Ｐ1とＰ2の間に接続されることにより、前記複合体に前記圧電磁器の共振周波数とほぼ等しい周波数の電圧ＶINを印加して、前記複合体に弾性振動を励振し、
前記圧電磁器の共振周波数は前記複合体の共振周波数とほぼ等しく、
前記電極Ｑ1およびＱ2は、前記弾性振動を電圧ＶOUTの電気信号に変換し、
前記電圧ＶOUTは、前記部分Ｒiに対応する電圧Ｖi（ｉ＝１，２，……Ｎ）の合計と等しく、
前記端子Ｔ0，ＴiおよびＴNのうちのどれか２つは１組の出力用端子を形成し、  前記端子Ｔ0，ＴiおよびＴNにおける少なくとも１組の前記出力用端子が前記スイッチを介して前記第２の回路と電気的に接続されたときに、前記出力用端子に含まれる２つの端子の間の電圧に対応する電気信号が前記第２の回路に出力され、
前記第２の回路は、前記第２の回路に出力される前記電気信号を整流して直流電力を生成する。
【０００７】
請求項２に記載の自励発振型信号変換装置は、前記電極Ｑ1およびＱ2によって電圧ＶOUTの電気信号に変換される前記弾性振動が、前記側面Ｂ，ＣおよびＤのうち前記電極Ｑ1およびＱ2が設けられた側面に垂直な方向に振動する弾性振動で成る。
【０００８】
請求項３に記載の自励発振型信号変換装置は、前記圧電磁器の前記両端面の形状が正四角形で成る。
【０００９】
請求項４に記載の自励発振型信号変換装置は、前記側面Ａ上における前記電極Ｐ1およびＰ2が、前記分極軸に平行な直線によってほぼ２等分されており、前記側面Ｂ，ＣおよびＤのうち前記電極Ｑ1およびＱ2が設けられた側面における前記電極Ｑ1およびＱ2は、前記分極軸に平行な直線によってほぼ２等分されている。
【００１０】
請求項５に記載の自励発振型信号変換装置は、前記側面Ａ上における前記電極Ｐ1およびＰ2が、前記分極軸に垂直な直線によってほぼ２等分されており、前記側面Ｂ，ＣおよびＤのうち前記電極Ｑ1およびＱ2が設けられた側面における前記電極Ｑ1およびＱ2は、前記分極軸に垂直な直線によってほぼ２等分されている。
【００１１】
【発明の実施の形態】
本発明の自励発振型信号変換装置は、四角柱状の圧電磁器と、１組の入力用デバイスと、少なくとも１組の出力用デバイスから成る簡単な構造を有する。１組の入力用デバイスは電極Ｐ1およびＰ2と、第１の回路から成る。１組の出力用デバイスは電極Ｑ1およびＱ2と、負荷抵抗Ｒと、スイッチと、第２の回路から成る。圧電磁器の分極軸はその圧電磁器の両端面に垂直である。電極Ｐ1およびＰ2は圧電磁器の側面Ａに設けられている。電極Ｑ1およびＱ2は圧電磁器の側面Ｂ，ＣおよびＤのうちの１つに設けられている。側面ＡおよびＢは互いに平行で、側面ＣおよびＤは互いに平行である。電極Ｐ1およびＰ2は互いに電気的に絶縁されており、電極Ｑ1およびＱ2は互いに電気的に絶縁されている。電極Ｑ1およびＱ2にはそれぞれ端子Ｔ0およびＴNが設けられている。負荷抵抗Ｒは端子Ｔ0とＴNの間に接続されている。圧電磁器、電極Ｐ1，Ｐ2，Ｑ1およびＱ2は複合体を形成する。負荷抵抗ＲはＮ個の部分Ｒi（ｉ＝１，２，……Ｎ）から成り、部分ＲiとＲ(i+1)との間には端子Ｔi｛ｉ＝１，２，……（Ｎ−１）｝が設けられている。第１の回路は、電極Ｐ1とＰ2の間に接続されている。もしも、第１の回路から電極Ｐ1とＰ2の間に圧電磁器の共振周波数とほぼ等しい周波数の電圧ＶINを印加すると、複合体に弾性振動が励振される。このとき、圧電磁器の共振周波数は複合体の共振周波数とほぼ等しい。複合体に励振された弾性振動のうち電極Ｑ1およびＱ2が設けられた側面に垂直な方向に振動する弾性振動が、電極Ｑ1とＱ2の間で電圧ＶOUTの電気信号に変換される。このとき、電圧ＶOUTは部分Ｒiに対応する電圧Ｖi（ｉ＝１，２，……Ｎ）の合計と等しくなる。従って、端子Ｔ0，ＴiおよびＴNのうちのどれか２つの間から、その２つの間の抵抗の大きさに対応した電圧の電気信号を出力することが可能になる。つまり、端子Ｔ0，ＴiおよびＴNのうちのどれか２つで成る１組の出力用端子がスイッチを介して第２の回路と電気的に接続されると、その出力用端子に含まれる２つの端子の間の抵抗の大きさに対応した電圧の電気信号が第２の回路に出力される。しかも２組以上の出力用端子から、互いに異なった電気信号が第２の回路に出力されることも可能である。たとえば、端子Ｔ0と端子Ｔ2の間からは、部分Ｒ1とＲ2の合計に等しい抵抗に対応する電圧、つまり、電圧Ｖ1とＶ2の合計に等しい電圧を有する電気信号が出力される。また、端子Ｔ0とＴ1の間から電圧Ｖ1を有する電気信号が同時に出力されたり、端子Ｔ0とＴNの間から電圧ＶOUTの電気信号が同時に出力されることもある。第２の回路に出力された電気信号は整流され、直流電力が生成される。
【００１２】
本発明の自励発振型信号変換装置では、圧電磁器の両端面の形状が正四角形で成る構造を採用することにより、複合体の結合振動が増強される。従って、入力電気信号が効率よく出力電気信号に変換される。
【００１３】
本発明の自励発振型信号変換装置では、側面Ａ上における電極Ｐ1およびＰ2が圧電磁器の分極軸に平行な直線によってほぼ２等分され、電極Ｑ1およびＱ2もまた電極Ｑ1およびＱ2が設けられた側面上において分極軸に平行な直線によってほぼ２等分された構造が可能である。このような構造を採用することにより、複合体の結合振動が増強されることから、入力電気信号が効率よく出力電気信号に変換される。
【００１４】
本発明の自励発振型信号変換装置では、側面Ａ上における電極Ｐ1およびＰ2が圧電磁器の分極軸に垂直な直線によってほぼ２等分され、電極Ｑ1およびＱ2もまた電極Ｑ1およびＱ2が設けられた側面上において分極軸に垂直な直線によってほぼ２等分された構造が可能である。このような構造を採用することにより、複合体の結合振動が増強されることから、入力電気信号が効率よく出力電気信号に変換される。
【００１５】
【実施例】
図１は本発明の自励発振型信号変換装置の一実施例を示す構成図である。本実施例は圧電磁器２、１組の入力用デバイスおよび３組の出力用デバイスから成る。但し、図１では３組の出力用デバイスのうち１組のみが描かれている。入力用デバイスは電極Ｐ1およびＰ2と、端子Ｚ1およびＺ2と、第１の回路３から成る。各出力用デバイスは電極Ｑ1およびＱ2と、負荷抵抗Ｒと、端子Ｔ0，Ｔ1，Ｔ2およびＴ3と、スイッチ５と、第２の回路から成る。端子Ｚ1およびＺ2は第１の回路３を介して直流電源Ｖdcと接続されている。負荷抵抗Ｒは端子Ｔ0とＴ3の間に接続されている。端子Ｔ3は第２の回路４と直接接続しており、端子Ｔ0，Ｔ1およびＴ2のうちの１つはスイッチ５を介して第２の回路４と接続する。圧電磁器２、電極Ｐ1およびＰ2、３組の電極Ｑ1およびＱ2は複合体１を形成する。
【００１６】
図２は図１の自励発振型信号変換装置の部分構成図である。図２では複合体１、負荷抵抗Ｒ、端子Ｚ1およびＺ2、１組の出力用デバイスにおける端子Ｔ0，Ｔ1，Ｔ2およびＴ3のみが描かれている。複合体１は、上述した通り、圧電磁器２、電極Ｐ1およびＰ2、３組の電極Ｑ1およびＱ2から成り、図２では上方から見たときの平面図として描かれている。圧電磁器２は縦および横がともに５ｍｍで、高さが６ｍｍの直方体で成る。電極Ｐ1およびＰ2は圧電磁器２の側面Ａに互いに電気的に絶縁された状態で設けられ、電極Ｑ1およびＱ2は圧電磁器２の側面Ｂ，ＣおよびＤに互いに電気的に絶縁された状態で設けられている。側面ＡおよびＢは互いに平行で、側面ＣおよびＤは互いに平行である。図２では各電極の厚さは誇張して描かれている。端子Ｚ1およびＺ2はそれぞれ電極Ｐ1およびＰ2に設けられ、端子Ｔ0およびＴ3はそれぞれ電極Ｑ1およびＱ2に設けられている。負荷抵抗Ｒは３個の部分Ｒ1，Ｒ2およびＲ3から成る。部分Ｒ1とＲ2の間には端子Ｔ1が、部分Ｒ2とＲ3の間には端子Ｔ2が設けられている。
【００１７】
図３は複合体１の斜視図である。上述した通り、圧電磁器２は縦および横がともに５ｍｍで、高さが６ｍｍの直方体で成る。圧電磁器２の共振周波数は約２７７ｋＨｚであり、圧電磁器２の分極軸は、圧電磁器２の互いに平行な２つの端面に垂直、つまり高さ方向に平行である。
【００１８】
図４は第１の回路３の一実施例を示す構成図である。第１の回路３は複合体励振回路で成り、コイルＬ1、トランジスタＴr、抵抗Ｒa，Ｒb，ＲcおよびＲd、ダイオードＤ1およびＤ2、コンデンサＣ1，Ｃ2およびＣ3、ツェナーダイオードＺＤおよびインバータＩＣを含む。もしも直流電源Ｖdcから第１の回路３を介して電極Ｐ1とＰ2の間に圧電磁器２の共振周波数とほぼ等しい周波数の電圧ＶINを印加すると、複合体１は励振されて弾性振動をする。この弾性振動は電極Ｑ1とＱ2の間で電圧ＶOUTの電気信号に再び変換される。このとき、電圧ＶOUTは部分Ｒ1に対応する電圧Ｖ1と、部分Ｒ2に対応する電圧Ｖ2と、部分Ｒ3に対応する電圧Ｖ3の合計と等しくなる（ＶOUT＝Ｖ1＋Ｖ2＋Ｖ3）。従って、端子Ｔ0とＴ3の間から電圧ＶOUTの電気信号、端子Ｔ1とＴ3の間から電圧（Ｖ2＋Ｖ3）の電気信号、または端子Ｔ2とＴ3の間から電圧Ｖ3の電気信号を出力することが可能となる。
【００１９】
図５は第２の回路４の一実施例を示す構成図である。第２の回路４は整流回路で成り、コンデンサＣ1、ダイオードＤ1，Ｄ2，Ｄ3およびＤ4を含む。端子Ｔ0，Ｔ1およびＴ2のうちの１つと、端子Ｔ3を介して第２の回路４に入力された電気信号は、再び直流の電気信号として第２の回路４から出力される。
【００２０】
図６は図１の自励発振型信号変換装置における負荷抵抗Ｒの大きさと、変圧比（ＶOUT／ＶIN）との関係の一実施例を示す特性図である。但し、図６は入力電圧ＶINが１２Ｖの場合の特性を示す。負荷抵抗Ｒの値を調整することにより、出力電圧ＶOUTを降圧または昇圧させることが可能であることが分かる。
【００２１】
図７は図１の複合体１の替わりに用いられる複合体６の斜視図である。複合体６は圧電磁器２、電極Ｐ1およびＰ2、３組の電極Ｑ1およびＱ2から成り、各電極の配置が複合体１とは異なる。すなわち、電極Ｐ1およびＰ2は、互いに電気的に絶縁された状態で、圧電磁器２の分極軸に垂直な直線によってほぼ２等分されている。電極Ｑ1およびＱ2も、互いに電気的に絶縁された状態で、圧電磁器２の分極軸に垂直な直線によってほぼ２等分されている。このような複合体６は、複合体１と同様な機能を有する。
【００２２】
【発明の効果】
本発明の自励発振型信号変換装置は、圧電磁器と、１組の入力用デバイスと、少なくとも１組の出力用デバイスから成る。１組の入力用デバイスは電極Ｐ1およびＰ2と、第１の回路から成り、電極Ｐ1およびＰ2は圧電磁器の側面Ａに設けられている。１組の出力用デバイスは電極Ｑ1およびＱ2と、負荷抵抗Ｒと、スイッチと、第２の回路から成り、電極Ｑ1およびＱ2は圧電磁器の側面Ｂ，ＣおよびＤのうちの１つに設けられている。圧電磁器の分極軸はその両端面に垂直である。電極Ｑ1およびＱ2にはそれぞれ端子Ｔ0およびＴNが設けられている。負荷抵抗Ｒは端子Ｔ0とＴNの間に接続されている。圧電磁器、電極Ｐ1，Ｐ2，Ｑ1およびＱ2は複合体を形成する。負荷抵抗ＲはＮ個の部分Ｒi（ｉ＝１，２，……Ｎ）から成り、部分ＲiとＲ(i+1)との間には端子Ｔi｛ｉ＝１，２，……（Ｎ−１）｝が設けられている。もしも、第１の回路から電極Ｐ1とＰ2の間に電圧ＶINを印加すると、複合体に弾性振動が励振される。複合体に励振された弾性振動のうち電極Ｑ1およびＱ2が設けられた側面に垂直な方向に振動する弾性振動が、その電極Ｑ1とＱ2の間で電圧ＶOUTの電気信号に変換される。このとき、電圧ＶOUTは部分Ｒiに対応する電圧Ｖi（ｉ＝１，２，……Ｎ）の合計と等しくなる。従って、端子Ｔ0，ＴiおよびＴNのうちのどれか２つで成る１組の出力用端子がスイッチを介して第２の回路と電気的に接続されると、その出力用端子に含まれる２つの端子の間の抵抗の大きさに対応した電圧の電気信号が第２の回路に出力される。しかも２組以上の出力用端子から、互いに異なった電気信号が第２の回路に出力されることも可能である。第２の回路に出力された電気信号は整流され、直流電力が生成される。
【００２３】
本発明の自励発振型信号変換装置では、圧電磁器の両端面の形状が正四角形で成る構造を採用することにより、複合体の結合振動が増強される。従って、入力電気信号が効率よく出力電気信号に変換される。
【００２４】
本発明の自励発振型信号変換装置では、側面Ａ上における電極Ｐ1およびＰ2が圧電磁器の分極軸に平行な直線によってほぼ２等分され、電極Ｑ1およびＱ2もまた電極Ｑ1およびＱ2が設けられた側面上において分極軸に平行な直線によってほぼ２等分された構造が可能である。また、側面Ａ上における電極Ｐ1およびＰ2が圧電磁器の分極軸に垂直な直線によってほぼ２等分され、電極Ｑ1およびＱ2もまた電極Ｑ1およびＱ2が設けられた側面上において分極軸に垂直な直線によってほぼ２等分された構造が可能である。このような構造を採用することにより、複合体の結合振動が増強されることから、入力電気信号が効率よく出力電気信号に変換される。
【図面の簡単な説明】
【図１】本発明の自励発振型信号変換装置の一実施例を示す構成図。
【図２】図１の自励発振型信号変換装置の部分構成図。
【図３】複合体１の斜視図。
【図４】第１の回路３の一実施例を示す構成図。
【図５】第２の回路４の一実施例を示す構成図。
【図６】図１の自励発振型信号変換装置における負荷抵抗Ｒの大きさと、変圧比（ＶOUT／ＶIN）との関係の一実施例を示す特性図。
【図７】図１の複合体１の替わりに用いられる複合体６の斜視図。
【符号の説明】
１    複合体
２    圧電磁器
３    複合体励振回路
４    整流回路
５    スイッチ
６    複合体
Ｒ    負荷抵抗
Ｐ1，Ｐ2，Ｑ1，Ｑ2    電極
Ｚ1，Ｚ2，Ｔ0，Ｔ1，Ｔ2，Ｔ3    端子
Ｌ1    コイル
Ｔr    トランジスタ
Ｒa，Ｒb，Ｒc，Ｒd    抵抗
Ｄ1，Ｄ2    ダイオード
Ｃ1，Ｃ2，Ｃ3    コンデンサ
ＺＤ    ツェナーダイオード
ＩＣ    インバータ
Ｖdc    直流電源
【図１】
0004277144.tif 000002
【図２】
0004277144.tif 000003
【図３】
0004277144.tif 000004
【図４】
0004277144.tif 000005
【図５】
0004277144.tif 000006
【図６】
0004277144.tif 000007
【図７】
0004277144.tif 000008